(57)【要約】【課題】角質層を簡便にかつ均一に剥離することのできる電極パッドを提供する。【解決手段】基材シート２１と、基材シート２１の下側に積層された粘着剤層２２と、粘着剤層２２の下側中央部に、当該粘着剤層２２に埋め込まれるように設けられた導電性ゲル部２３と、基材シート２１の上側中央部に設けられた接続端子２４とを備えた電極パッド２と、電極パッド２の皮膚固定面に接触して設けられた支持体３１と、支持体３１の下側に積層された角質剥離粘着剤層３２と、角質剥離粘着剤層３２の下側に積層された剥離材３３とを備えた角質剥離シート３とからなる角質剥離シート付電極パッド１。【選択図】図１
2009082322.tif 000002
【特許請求の範囲】
【請求項１】
皮膚の表面に固定される電極パッドと、
前記電極パッドに積層された角質剥離シートと
を備えたことを特徴とする角質剥離シート付電極パッド。
【請求項２】
前記角質剥離シートは、前記電極パッドの皮膚固定面に積層されていることを特徴とする請求項１に記載の角質剥離シート付電極パッド。
【請求項３】
前記角質剥離シートは、前記電極パッドの皮膚固定面に接触して設けられた支持体と、前記支持体に積層された角質剥離粘着剤層とを備えており、前記支持体は、前記電極パッドの皮膚固定面に対して剥離性を有することを特徴とする請求項２に記載の角質剥離シート付電極パッド。
【請求項４】
前記電極パッドの皮膚固定面には導電部と粘着部とが存在し、
前記角質剥離シートは、前記電極パッドの皮膚固定面の少なくとも端部から導電部にかけて接触して設けられていることを特徴とする請求項３に記載の角質剥離シート付電極パッド。
【請求項５】
前記角質剥離粘着剤層には、剥離材が積層されていることを特徴とする請求項１〜４のいずれかに記載の角質剥離シート付電極パッド。
【請求項６】
前記支持体は、前記電極パッドから突出している突出部を有し、
前記剥離材は、前記角質剥離シートから突出している突出部を有し、
前記支持体の突出部と、前記剥離材の突出部とは、平面視で互いにずれた位置に設けられていることを特徴とする請求項５に記載の角質剥離シート付電極パッド。
【発明の詳細な説明】
【技術分野】
【０００１】
本発明は、皮膚の表面に固定される電極パッドに関するものである。
【背景技術】
【０００２】
例えば心電図等を使用する場合、電極パッドを皮膚の表面に固定して、生体との間で電気的信号の送受信を行う。皮膚の表面には角質層が存在しているが、この角質層が皮膚インピーダンスといわれる電気的障害となっており、電気的信号の正確な送受信を妨げている。そのため、正確な測定ができない場合がある。
【０００３】
皮膚インピーダンスを低減する手段として、電極パッドを固定する箇所における角質層を物理的に除去することが挙げられる。特許文献１には、表面研磨部を有する高分子材料を含む皮膚剥脱体により、電極パッドを固定する箇所の皮膚表面を研磨して、角質層を除去する方法が提案されている。
【特許文献１】特開平１１−３４７９５６号公報
【発明の開示】
【発明が解決しようとする課題】
【０００４】
しかしながら、特許文献１に開示される方法では、表研磨部を有する皮膚剥脱体を用いて皮膚を研磨するため、研磨時の圧力や研磨回数などの条件の変化により、角質層の除去量が異なってしまい、電極パッド固定箇所における角質層を均一に除去することが困難である。また、皮膚を研磨する作業は簡便性に欠け、そして場合によっては痛みを生じる可能性がある。
【０００５】
本発明は、このような実状に鑑みてなされたものであり、角質層を簡便にかつ均一に剥離することのできる電極パッドを提供することを目的とする。
【課題を解決するための手段】
【０００６】
上記目的を達成するために、本発明は、皮膚の表面に固定される電極パッドと、前記電極パッドに積層された角質剥離シートとを備えたことを特徴とする角質剥離シート付電極パッドを提供する（請求項１）。
【０００７】
上記発明（請求項１）によれば、電極パッドに積層された角質剥離シートにより、角質層を簡便にかつ均一に剥離することができ、それによって、電極パッドと生体との間で電気的信号の正確な送受信が可能となる。また、角質剥離シートの角質剥離粘着剤層の材料を選択すれば、皮膚から角質層を剥離する時の痛みを軽減・防止することもできる。さらに、電極パッドに角質剥離シートが積層されていることにより、電極パッドの貼着が一連の操作手順に従って行なわれるため、操作手順のミスが無く電極パッドの適用が可能となる。
【０００８】
上記発明（請求項１）において、前記角質剥離シートは、前記電極パッドの皮膚固定面に積層されていることが好ましい（請求項２）。
【０００９】
上記発明（請求項２）において、前記角質剥離シートは、前記電極パッドの皮膚固定面に接触して設けられた支持体と、前記支持体に積層された角質剥離粘着剤層とを備えており、前記支持体は、前記電極パッドの皮膚固定面に対して剥離性を有することが好ましい（請求項３）。
【００１０】
上記発明（請求項３）において、前記電極パッドの皮膚固定面には導電部と粘着部とが存在し、前記角質剥離シートは、前記電極パッドの皮膚固定面の少なくとも端部から導電部にかけて接触して設けられていてもよい（請求項４）。
【００１１】
上記発明（請求項１〜４）において、前記角質剥離粘着剤層には、剥離材が積層されていることが好ましい（請求項５）。
【００１２】
上記発明（請求項５）において、前記支持体は、前記電極パッドから突出している突出部を有し、前記剥離材は、前記角質剥離シートから突出している突出部を有し、前記支持体の突出部と、前記剥離材の突出部とは、平面視で互いにずれた位置に設けられていてもよい（請求項６）。
【００１３】
上記発明（請求項６）によれば、剥離材の突出部を摘むときに、支持体の突出部が邪魔にならず、剥離材の突出部を簡単に摘んで、当該剥離材を剥がすことができる。
【００１４】
上記発明（請求項４）において、前記角質剥離粘着剤層には、剥離材が積層されており、前記支持体および前記角質剥離粘着剤層は切れ込みによって２つに分割されており、２つに分割された前記支持体の一方は、少なくとも前記電極パッドの皮膚固定面の導電部と接触しており、２つに分割された前記支持体の他方は、前記電極パッドの皮膚固定面の粘着部と接触していてもよい。
【００１５】
上記発明においては、最初に他方の支持体を電極パッドの皮膚固定面の粘着部から剥離するとともに、他方の角質剥離粘着剤層および剥離材を剥離し、露出した電極パッドの粘着部を皮膚に対して貼付する。そして、その貼付状態を維持したまま、露出した一方の角質剥離粘着剤層を皮膚に対して貼付・剥離することにより、角質層を剥離する。次に、一方の支持体および角質剥離粘着剤層を剥離し、露出した電極パッドの残りの粘着部を皮膚に貼付して、角質層が剥離された皮膚表面に電極パッドを固定する。これによれば、皮膚に対する電極パッドの位置をあらかじめ確定することができ、角質剥離シートによって角質層を剥離した部分に確実に電極パッドの導電部を接触させることができる。
【００１６】
また、上記発明（請求項４）において、前記角質剥離粘着剤層には、剥離材が積層されており、前記支持体は、少なくとも前記電極パッドの皮膚固定面の導電部に接触して設けられており、前記剥離材は、前記電極パッドの皮膚固定面および前記角質剥離粘着剤層に対して剥離性を有し、前記電極パッドの皮膚固定面の粘着部および前記角質剥離粘着剤層に接触して設けられていてもよい。
【００１７】
上記発明においては、剥離材を電極パッドの皮膚固定面の粘着部および前記角質剥離粘着剤層から剥離し、露出した電極パッドの粘着部を皮膚に対して貼付する。そして、その貼付状態を維持したまま、露出した角質剥離粘着剤層を皮膚に対して貼付・剥離することにより、角質層を剥離する。次に、支持体および角質剥離粘着剤層を電極パッドから剥離し、露出した電極パッドの残りの粘着剤層を皮膚に貼付して、角質層が剥離された皮膚表面に電極パッドを固定する。これによれば、皮膚に対する電極パッドの位置をあらかじめ確定することができ、角質剥離シートによって角質層を剥離した部分に確実に電極パッドの導電部を接触させることができる。
【発明の効果】
【００１８】
本発明によれば、電極パッドに積層された角質剥離シートにより、角質層を簡便にかつ均一に剥離することができ、それによって、電極パッドと生体との間で電気的信号の正確な送受信が可能となる。また、角質剥離シートの角質剥離粘着剤層の材料を選択すれば、皮膚から角質層を剥離する時の痛みを軽減・防止することもできる。さらに、電極パッドに角質剥離シートが積層されていることにより、電極パッドの貼着が一連の操作手順に従って行なわれるため、操作手順のミスが無く電極パッドの適用が可能となる。
【発明を実施するための最良の形態】
【００１９】
以下、本発明の実施形態について説明する。
〔第１の実施形態〕
図１は、本発明の第１の実施形態に係る角質剥離シート付電極パッド１の断面図である。
【００２０】
本実施形態に係る角質剥離シート付電極パッド１は、図１に示すように、電極パッド２と、電極パッド２に積層された角質剥離シート３とを備えて構成され、平面視略矩形となっている。
【００２１】
本実施形態における電極パッド２は、基材シート２１と、基材シート２１の下側に積層された粘着剤層２２と、粘着剤層２２の下側中央部に、当該粘着剤層２２に埋め込まれるように設けられた導電性ゲル部２３と、基材シート２１の中央部上側から突出して設けられた接続端子２４とを備えている。接続端子２４は、基材シート２１および粘着剤層２２を貫通して導電性ゲル部２３と電気的に接続されている。なお、図示しないが、導電性ゲル部２３は平面視略円形になっている。
【００２２】
上記電極パッド２においては、粘着剤層２２の下面および導電性ゲル部２３の下面が皮膚の表面に密着し、それによって電極パッド２は皮膚に固定される。すなわち、電極パッド２では、粘着剤層２２の下面および導電性ゲル部２３の下面が皮膚固定面となっている。
【００２３】
上記のような電極パッド２としては、従来公知のものを使用することができる。
【００２４】
一方、角質剥離シート３は、電極パッド２の皮膚固定面に接触して設けられた支持体３１と、支持体３１の下側に積層された角質剥離粘着剤層３２と、角質剥離粘着剤層３２の下側に積層された剥離材３３とを備えている。
【００２５】
支持体３１は、角質剥離粘着剤層３２を支持することができ、かつ、電極パッド２の皮膚固定面に対して剥離性を有するものであり、本実施形態ではシート状となっている。
【００２６】
かかる支持体３１としては、ポリエチレンテレフタレート等のポリエステル系フィルム、ポリエチレン、ポリプロピレン等のポリオレフィン系フィルム等の合成樹脂フィルム；上質紙、グラシン紙、コート紙、ポリエチレンラミネート紙、ポリプロピレンラミネート紙等の紙などの材料を使用することができ、必要によりそれら材料の片面（電極パッド２側の面）に剥離処理を行ってもよい。剥離処理には、シリコーン系剥離剤や長鎖アルキル化合物等を使用することができる。
【００２７】
上記支持体３１が合成樹脂フィルムからなる場合、角質剥離粘着剤層３２側の面は、角質剥離粘着剤層３２との密着性を高めるために、プライマー処理、コロナ処理、プラズマ処理等の表面処理を施すことが好ましい。
【００２８】
支持体３１の厚さは、特に限定されるものではないが、通常は、２０〜３００μｍであることが好ましく、特に５０〜２００μｍであることが好ましい。
【００２９】
角質剥離粘着剤層３２は、当該角質剥離粘着剤層３２を皮膚表面に対して貼付・剥離したときに、その粘着力により角質層を剥離し得る層である。この角質剥離粘着剤層３２を構成する材料としては、従来公知の粘着剤を使用することもできるが、架橋可能な官能基を有する（メタ）アクリル系ポリマー（ａ）と、ラクタム環を有する（メタ）アクリル系オリゴマー（ｂ）と、架橋剤（ｃ）とを含有する角質剥離用粘着剤組成物を使用することが好ましく、特に、（メタ）アクリル系ポリマー（ａ）と、ラクタム環を有する（メタ）アクリル系オリゴマー（ｂ）と、架橋剤（ｃ）と、液状成分（ｄ）とを含有する角質剥離用粘着剤組成物を使用することが好ましい。
【００３０】
上記角質剥離用粘着剤組成物を使用した角質剥離粘着剤層３２によれば、皮膚に対する短時間（例えば３〜５分）の貼付・剥離を１〜３回程度繰り返すことで、容易にかつ均一に角質層を剥離することができる。また、液状成分（ｄ）を含有する上記角質剥離用粘着剤組成物を使用した角質剥離粘着剤層３２によれば、さらに、皮膚から角質層を剥離する時の痛みを軽減することができる。
【００３１】
以下、上記各成分について説明する。
（ａ）（メタ）アクリル系ポリマー
（メタ）アクリル系ポリマー（ａ）は、少なくとも架橋可能な官能基を有する（メタ）アクリル系ポリマー（ａ１）を含み、架橋可能な官能基を有する（メタ）アクリル系ポリマー（ａ１）および架橋可能な官能基を有しない（メタ）アクリル系ポリマー（ａ２）の両者を含んでいてもよい。
【００３２】
架橋可能な官能基を有する（メタ）アクリル系ポリマー（ａ１）は、架橋可能な官能基を有するビニルモノマーと（メタ）アクリル酸アルキルエステルとの共重合体であることが好ましい。また、架橋可能な官能基を有しない（メタ）アクリル系ポリマー（ａ２）は、（メタ）アクリル酸アルキルエステルの単独重合体、またはビニルモノマーと（メタ）アクリル酸アルキルエステルとの共重合体であることが好ましく、特にビニルモノマーと（メタ）アクリル酸アルキルエステルとの共重合体であることが好ましく、さらにビニルモノマーはラクタム環を有するものであることが好ましい。
【００３３】
（メタ）アクリル酸アルキルエステルとしては、アルキル基の炭素数が１〜１４のものが好ましく、例えば、（メタ）アクリル酸メチル、（メタ）アクリル酸エチル、（メタ）アクリル酸プロピル、（メタ）アクリル酸イソプロピル、（メタ）アクリル酸２−メトキシエチル、（メタ）アクリル酸ブチル、（メタ）アクリル酸イソブチル、（メタ）アクリル酸ペンチル、（メタ）アクリル酸ヘキシル、（メタ）アクリル酸オクチル、（メタ）アクリル酸イソオクチル、（メタ）アクリル酸２−エチルヘキシル、（メタ）アクリル酸ノニル、（メタ）アクリル酸イソノニル、（メタ）アクリル酸ラウリル等が挙げられ、１種を単独でまたは２種以上を組み合わせて使用することができる。
【００３４】
上記架橋可能な官能基を有するビニルモノマーの架橋可能な官能基としては、カルボキシル基、ヒドロキシル基等が挙げられる。かかる架橋可能な官能基を有するビニルモノマーとしては、例えば、カルボキシル基を有する（メタ）アクリル酸や、ヒドロキシル基を有する（メタ）アクリル酸２−ヒドロキシエチル、（メタ）アクリル酸４−ヒドロキシブチル等が挙げられ、１種を単独でまたは２種以上を組み合わせて使用することができる。
【００３５】
架橋可能な官能基を有する（メタ）アクリル系ポリマー（ａ１）における架橋可能な官能基を有するビニルモノマーの配合量は、２〜３５モル％とすることが好ましい。架橋可能な官能基を有するビニルモノマーの配合量が２モル％未満では、架橋が不十分になり、３５モル％を超えると、十分な角質剥離効果が得られなくなる場合がある。
【００３６】
ラクタム環を有するビニルモノマーとしては、Ｎ−ビニル−２−ピロリドン、Ｎ−ビニル−２−ピペリドン、Ｎ−ビニル−ε−カプロラクタム等が好ましく、中でも特に、皮膚親和性の高いＮ−ビニル−２−ピロリドンが好ましい。
【００３７】
架橋可能な官能基を有しない（メタ）アクリル系ポリマー（ａ２）におけるラクタム環を有するビニルモノマーの配合量は、１〜４０モル％とすることが好ましい。
【００３８】
（メタ）アクリル系ポリマー（ａ）（架橋可能な官能基を有する（メタ）アクリル系ポリマー（ａ１）および架橋可能な官能基を有しない（メタ）アクリル系ポリマー（ａ２）のそれぞれ）の数平均分子量（Ｍｎ）は、３００，０００〜１，５００，０００であることが好ましく、特に３５０，０００〜１，２００，０００であることが好ましく、さらに４００，０００〜１，０００，０００であることが好ましい。なお、本明細書における数平均分子量（Ｍｎ）は、ゲルパーミエーションクロマトグラフィー（ＧＰＣ分析）法によって測定し、標準ポリスチレンで換算した値とする。
【００３９】
（メタ）アクリル系ポリマー（ａ）の数平均分子量（Ｍｎ）が３００，０００未満では、得られる粘着剤の凝集力が不十分となり、糊残りが生じる場合があり、（メタ）アクリル系ポリマー（ａ）の数平均分子量（Ｍｎ）が１，５００，０００を超えると、高粘度となるため他の成分との均一な混合が困難となり、安定した物性の粘着剤が得られなくなるおそれがある。
【００４０】
なお、（メタ）アクリル系ポリマー（ａ）が架橋可能な官能基を有する（メタ）アクリル系ポリマー（ａ１）および架橋可能な官能基を有しない（メタ）アクリル系ポリマー（ａ２）の両者を含む場合、それらの配合量は、架橋可能な官能基を有する（メタ）アクリル系ポリマー（ａ１）１００質量部に対して架橋可能な官能基を有しない（メタ）アクリル系ポリマー（ａ２）が５０〜４００質量部であることが好ましく、特に１００〜３００質量部であることが好ましい。
【００４１】
（ｂ）ラクタム環を有する（メタ）アクリル系オリゴマー
ラクタム環を有する（メタ）アクリル系オリゴマー（ｂ）は、ラクタム環を有するビニルモノマーと（メタ）アクリル酸アルキルエステルとの共重合体であることが好ましい。
【００４２】
ラクタム環を有するビニルモノマーとしては、Ｎ−ビニル−２−ピロリドン、Ｎ−ビニル−２−ピペリドン、Ｎ−ビニル−ε−カプロラクタム等が好ましく、中でも特に、皮膚親和性の高いＮ−ビニル−２−ピロリドンが好ましい。
【００４３】
ラクタム環を有する（メタ）アクリル系オリゴマー（ｂ）におけるラクタム環を有するビニルモノマーの配合量は、５〜４５モル％とすることが好ましく、特に１０〜４０モル％とすることが好ましい。ラクタム環を有するビニルモノマーの配合量が５モル％未満では、皮膚に対する濡れ性が不十分で皮膚密着性、ひいては角質層剥離力が低くなるおそれがある。一方、ラクタム環を有するビニルモノマーの配合量が４５モル％を超えると、得られる粘着剤がゲル化してしまい、角質剥離シート３の製造または取り扱いが困難になるおそれがある。
【００４４】
（メタ）アクリル酸アルキルエステルとしては、アルキル基の炭素数が２〜１４のものが好ましく、例えば、（メタ）アクリル酸エチル、（メタ）アクリル酸プロピル、（メタ）アクリル酸イソプロピル、（メタ）アクリル酸２−メトキシエチル、（メタ）アクリル酸ブチル、（メタ）アクリル酸イソブチル、（メタ）アクリル酸ペンチル、（メタ）アクリル酸ヘキシル、（メタ）アクリル酸オクチル、（メタ）アクリル酸イソオクチル、（メタ）アクリル酸２−エチルヘキシル、（メタ）アクリル酸ノニル、（メタ）アクリル酸イソノニル、（メタ）アクリル酸ラウリル等が挙げられ、１種を単独でまたは２種以上を組み合わせて使用することができる。
【００４５】
ラクタム環を有するビニルモノマーと（メタ）アクリル酸アルキルエステルとの好ましい組み合わせとしては、Ｎ−ビニル−２−ピロリドンと（メタ）アクリル酸２−エチルヘキシルとの組み合わせが挙げられる。
【００４６】
ラクタム環を有する（メタ）アクリル系オリゴマー（ｂ）の数平均分子量（Ｍｎ）は、４，０００〜１０，０００であることが好ましく、特に５，０００〜９，０００であることが好ましい。数平均分子量（Ｍｎ）が４，０００未満では、組成物が過度に可塑化されて、角質剥離性能が低下してしまう場合があり、数平均分子量（Ｍｎ）が１０，０００を超えると、ラクタム環を有する（メタ）アクリル系オリゴマー（ｂ）の粘度が過度に上昇して、（メタ）アクリル系ポリマー（ａ）と均一に混合することが困難になったり、皮膚に対する濡れ性が低下したりする場合がある。
【００４７】
本実施形態に係る角質剥離用粘着剤組成物においては、上記ラクタム環を有する（メタ）アクリル系オリゴマー（ｂ）を使用することにより、皮膚に対する濡れ性を向上させて皮膚密着性を高めることができ、それによって好適な角質層剥離力を得ることが可能となる。また、ラクタム環を有する（メタ）アクリル系オリゴマー（ｂ）は、（メタ）アクリル系ポリマー（ａ）との相溶性が高く、さらに粘着剤組成物に添加剤を添加した場合にも、それらの成分を分散させ易い。
【００４８】
ラクタム環を有する（メタ）アクリル系オリゴマー（ｂ）の配合量は、（メタ）アクリル系ポリマー（ａ）１００質量部に対して、５０〜７００質量部であることが好ましく、特に８０〜５００質量部であることが好ましい。ラクタム環を有する（メタ）アクリル系オリゴマー（ｂ）の配合量が５０質量部未満であると、粘着剤の皮膚に対する濡れ性が著しく低下して、必要な粘着力が得られないおそれがあり、ラクタム環を有する（メタ）アクリル系オリゴマー（ｂ）の配合量が７００質量部を超えると、粘着剤の凝集力が過度に低下して、皮膚に糊残りが生じたり、必要な粘着力が得られないおそれがある。
【００４９】
（ｃ）架橋剤
架橋剤（ｃ）としては、架橋可能な官能基を有する（メタ）アクリル系ポリマー（ａ１）の架橋可能な官能基と反応性を有する多官能性化合物を使用することができる。かかる多官能性化合物としては、例えば、イソシアネート化合物、エポキシ化合物、アジリジン化合物、金属キレート化合物等が挙げられ、中でもイソシアネート化合物が好ましい。
【００５０】
イソシアネート化合物としては、例えば、ヘキサメチレンジイソシアナート等の脂肪族イソシアネート、トリレンジイソシアネート、ジフェニルメタンジイソシアネート、キシリレンジイソシアネート等の芳香族イソシアネート、イソホロンジイソシアネート、水素添加ジフェニルメタンジイソシアネート等の脂環族イソシアネート、およびそれらイソシアネート化合物に、グリセロール、トリメチロールプロパン等のポリオールを反応せしめたアダクト体などが挙げられ、１種を単独でまたは２種以上を組み合わせて使用することができる。
【００５１】
架橋剤（ｃ）の添加量は、架橋可能な官能基を有する（メタ）アクリル系ポリマー（ａ１）１００質量部に対して０．０１〜１５質量部であることが好ましく、特に０．１〜５質量部であることが好ましい。架橋剤（ｃ）の添加量が０．０１質量部未満では、十分に架橋させることができず、架橋剤（ｃ）の添加量が１５質量部を超えると、粘着剤の架橋密度が過度に高くなり、粘着剤の皮膚に対する濡れ性が著しく低下する場合がある。
【００５２】
（ｄ）液状成分
液状成分（ｄ）は、角質に浸透し、角質を膨潤、軟化させるものである。これによって、皮膚から角質層を剥離する時の痛みを軽減することができる。角質への浸透性を確保するために、液状成分（ｄ）の数平均分子量（Ｍｎ）は、４，０００未満であることを必要とし、好ましくは９０〜３，０００である。
【００５３】
また、液状成分（ｄ）のｐＨは６〜８であるのが好ましい。ｐＨがこの範囲を外れると、例えば有機酸のように皮膚を腐食するおそれが生じ、皮膚に対する安全性が低下する。
【００５４】
液状成分（ｄ）は、常温常圧下で揮発しないものであることが好ましく、したがって、２０℃における蒸気圧が１０００Ｐａ未満、特に１０Ｐａ未満であることが好ましい。液状成分（ｄ）が揮発性のものであると、角質剥離用粘着シートの保管時等に粘着剤層から液状成分（ｄ）が揮発しないように、角質剥離用粘着シートを密封する等の対処が必要になる。
【００５５】
上記のような液状成分（ｄ）としては、例えば、グリセリン、ジグリセリン、トリグリセリン、テトラグリセリン、エチレングリコール、１，３−ブチレングリコール、１，３−プロパンジオール、１，４−ブチレングリコール、プロピレングリコール、ジプロピレングリコール、ポリエチレングリコール、ポリプロピレングリコール等の多価アルコール；カプリン酸、ラウリン酸、ミリスチン酸、ペンタデシル酸、パルミチン酸、ステアリン酸、リノール酸、リノレン酸等の脂肪酸；オリーブ油、ツバキ油、ひまし油、ベニバナ油、コーン油等の脂肪油；カプリン酸メチル、カプロン酸メチル、ラウリン酸メチル、ミリスチン酸メチル、ステアリン酸メチル、パルミチン酸イソプロピル、ラウリン酸、イソプロピル、パルミチン酸イソオクチル、ステアリン酸イソオクチル、セバシン酸ジエチル等の脂肪酸エステル;流動パラフィン、スクワレン、スクワラン等の炭化水素油;液状界面活性剤等が挙げられ、１種を単独でまたは２種以上を組み合わせて使用することができる。上記の中でも、特に保湿性、安全性等に優れたグリセン、ポリエチレングリコール、ポリプロピレングリコール等の多価アルコールを使用することが好ましい。
【００５６】
液状成分（ｄ）の配合量は、角質剥離用粘着剤組成物中、２．５〜４０質量％であることが好ましく、特に５〜３０質量％であることが好ましい。液状成分（ｄ）の配合量が２．５質量％未満であると、液状成分（ｄ）による効果が低く、角質の剥離時に痛みが発生するおそれがあり、液状成分（ｄ）の配合量が４０質量％を超えると、粘着剤の凝集力が低下して、糊残りが生じるおそれがある。
【００５７】
（ｅ）第三成分
上記角質剥離用粘着剤組成物は、上記成分（ａ）〜（ｄ）以外の第三成分（ｅ）を含有してもよい。かかる第三成分（ｅ）としては、薬剤、酸化防止剤、粘度調整剤、紫外線吸収剤、隠蔽剤、可塑剤、ワックス、着色剤、無機フィラー、有機フィラー、増量剤、カップリング剤等の各種添加剤等が挙げられ、１種を単独でまたは２種以上を組み合わせて使用することができる。
【００５８】
上記角質剥離用粘着剤組成物を使用した粘着剤層を厚さ５０μｍのポリエチレンテレフタレートフィルムに厚さ４０μｍで形成した粘着シートをベークライトに貼付して５分後のＪＩＳ  Ｚ０２３７に準拠した粘着力（モード：１８０°剥離，剥離速度：３００ｍｍ／ｍｉｎ，貼付時間：５分）は、２〜２０Ｎ／２５ｍｍであることが好ましく、特に３〜１２Ｎ／２５ｍｍであることが好ましい。上記粘着力が２Ｎ／２５ｍｍ未満であると、効果的に角質層を剥離することができない。一方、上記粘着力が２０Ｎ／２５ｍｍを超えると、皮膚からの剥離時に痛みが発生し、また皮膚に糊残りが生じるおそれがある。
【００５９】
角質剥離粘着剤層３２の厚さは、効果的に角質層を剥離するために、５〜３００μｍであることが好ましく、特に１０〜２００μｍであることが好ましい。
【００６０】
剥離材３３としては、角質剥離粘着剤層３２を保護することができ、かつ、角質剥離粘着剤層３２に対して剥離性を有するものであれば特に限定されず、従来公知の剥離材を使用することができる。例えば、ポリエチレンテレフタレート等のポリエステル系フィルム、ポリエチレン、ポリプロピレン等のポリオレフィン系フィルム等の合成樹脂フィルム；上質紙、グラシン紙、コート紙、ポリエチレンラミネート紙、ポリプロピレンラミネート紙等の紙の片面がシリコーン系剥離剤や長鎖アルキル化合物等によって剥離処理された剥離材を使用することができる。
【００６１】
剥離材３３の厚さは、特に限定されるものではないが、通常１０〜２００μｍ程度であり、好ましくは２０〜１００μｍ程度である。
【００６２】
ここで、剥離材３３の角質剥離粘着剤層３２に対する剥離力は、支持体３１の電極パッド２の皮膚固定面に対する剥離力よりも小さいことが好ましい。本角質剥離シート付電極パッド１の使用時には、先に剥離材３３を剥離して、角質層の剥離作業を行った後、角質剥離シート３の支持体３１を電極パッド２の皮膚固定面から剥離して、電極パッド２を皮膚表面に固定するが、上記のように支持体３１および剥離材３３の剥離力を調整することにより、剥離材３３を角質剥離粘着剤層３２から剥離する時に、支持体３１が電極パッド２の皮膚固定面から剥がれて、角質剥離シート３と電極パッド２とが分離することを防止することができる。
【００６３】
上記のように支持体３１および剥離材３３の剥離力を調整するには、支持体３１の材料に剥離処理を行わず、剥離材３３の材料に剥離処理を行うようにしてもよいし、支持体３１の材料に重剥離剤により剥離処理を行い、剥離材３３の材料に軽剥離剤により剥離処理を行うようにしてもよい。
【００６４】
上記角質剥離シート３を製造するには、角質剥離粘着剤層３２を構成する材料を支持体３１の非剥離処理面に塗布して角質剥離粘着剤層３２を形成した後、剥離材３３の剥離処理面を角質剥離粘着剤層３２に接触させて剥離材３３を角質剥離粘着剤層３２に積層してもよいし、角質剥離粘着剤層３２を構成する材料を剥離材３３の剥離処理面に塗布して角質剥離粘着剤層３２を形成した後、支持体３１の非剥離処理面を角質剥離粘着剤層３２に接触させて支持体３１を角質剥離粘着剤層３２に積層してもよい。
【００６５】
角質剥離粘着剤層３２を構成する材料として、前述した角質剥離用粘着剤組成物を使用する場合には、例えば、トルエン、酢酸エチル、メチルエチルケトン、アセトン等の有機溶剤に溶解させた角質剥離用粘着剤組成物を、グラビアコーター、マイヤーバーコーター、コンマコーター、ロールコーター、ナイフコーター、ダイコーター、スクリーンコーター等の塗工装置を使用して塗布した後、乾燥させる（架橋可能な組成物は架橋させる）ことにより、角質剥離粘着剤層３２を形成することができる。
【００６６】
角質剥離シート付電極パッド１を製造するには、以上のようにして製造した角質剥離シート３の支持体３１と、電極パッド２の皮膚固定面とを接触させて、角質剥離シート３と電極パッド２とを積層すればよい。
【００６７】
かかる角質剥離シート付電極パッド１は、電極パッド２と角質剥離シート３とが別々に存在する場合と比較して、使用時に１つの物を取り扱えば足りるため、作業効率を向上させることができる。例えば、電極パッド２と角質剥離シート３とが別々に包装されている場合には、それぞれ開封する必要があるが、角質剥離シート付電極パッド１は、その一つだけを開封すればよい。また、ストック、運搬等の際にも、角質剥離シート付電極パッド１の方が少ない容積で済むという利点もある。
【００６８】
角質剥離シート付電極パッド１を使用するには、最初に、角質剥離シート３の剥離材３３を剥離して角質剥離粘着剤層３２を露出させ、その角質剥離粘着剤層３２を皮膚に対して貼付・剥離することにより、角質層を剥離する。このように角質剥離シート３を使用すると、角質層を簡便にかつ均一に剥離することができる。特に、角質剥離粘着剤層３２の材料として前述した角質剥離用粘着剤組成物を使用すると、短時間（例えば３〜５分）の貼付・剥離を１〜３回程度繰り返すことで、容易にかつ均一に角質層を剥離することができる。さらに、角質剥離粘着剤層３の材料として液状成分（ｄ）を含有する角質剥離用粘着剤組成物を使用すると、皮膚から角質層を剥離する時の痛みはほとんどない。
【００６９】
上記のようにして角質層を剥離したら、次に、角質剥離シート３の支持体３１（および角質剥離粘着剤層３２）を電極パッド２から剥離し、露出した電極パッド２の粘着剤層２２を介して、角質層が剥離された皮膚表面に電極パッド２を固定する。これにより、電極パッド２と生体との間で電気的信号の正確な送受信が可能となる。例えば、本角質剥離シート付電極パッド１を心電図の電極パッドとして使用する場合、角質層の剥離により皮膚インピーダンスが低減されているため、電気的信号の正確な送受信が可能となり、測定を正確に行うことができる。
【００７０】
また、本角質剥離シート付電極パッド１においては、電極パッド２に角質剥離シート３が積層されていることにより、電極パッド２の貼着が一連の操作手順に従って行なわれるため、操作手順のミスが無いように電極パッド２を適用することができる。
【００７１】
〔第２の実施形態〕
図２は、本発明の第２の実施形態に係る角質剥離シート付電極パッド１Ａの断面図（ａ）および平面図（ｂ）である。
【００７２】
本実施形態に係る角質剥離シート付電極パッド１Ａは、上記第１の実施形態に係る角質剥離シート付電極パッド１とほぼ同様の構成を有するが、図２（ａ），（ｂ）に示すように、角質剥離シート３Ａの支持体３１Ａが、電極パッド２から突出している突出部３１１Ａを有し、角質剥離シート３Ａの剥離材３３Ａが、角質剥離粘着剤層３２Ａから突出している突出部３３１Ａを有する。図２（ｂ）に示すように、支持体３１Ａの突出部３１１Ａと、剥離材３３Ａの突出部３３１Ａとは、平面視で互いにずれた位置に設けられている。
【００７３】
なお、本実施形態における支持体３１Ａの突出部３１１Ａおよび剥離材３３Ａの突出部３３１Ａの大きさおよび形状は、特に限定されるものではないが、丁度指で摘める大きさのタブ状となっていることが好ましい。
【００７４】
上記のように剥離材３３Ａに突出部３３１Ａがあることにより、突出部３３１Ａを摘むことで剥離材３３Ａを角質剥離粘着剤層３２から容易に剥がすことができる。同様に、支持体３１Ａに突出部３１１Ａがあることにより、突出部３１１Ａを摘むことで支持体３１Ａを電極パッド２の皮膚固定面から容易に剥がすことができる。さらに、支持体３１Ａの突出部３１１Ａと、剥離材３３Ａの突出部３３１Ａとが、平面視で互いにずれた位置に設けられていることにより、剥離材３３Ａの突出部３３１Ａを摘むときに、支持体３１Ａの突出部３１１Ａが邪魔にならず、剥離材３３Ａの突出部３３１Ａを簡単に摘むことができる。
【００７５】
〔第３の実施形態〕
図３は、本発明の第３の実施形態に係る角質剥離シート付電極パッド１Ｂの断面図（ａ）および平面図（ｂ）である。
【００７６】
本実施形態に係る角質剥離シート付電極パッド１Ｂは、上記第１の実施形態に係る角質剥離シート付電極パッド１とほぼ同様の構成を有するが、図３（ａ），（ｂ）に示すように、角質剥離シート３Ｂの支持体３１Ｂおよび角質剥離粘着剤層３２Ｂには、それらを貫通する切れ込み３４Ｂが入っており、その切れ込み３４Ｂによって、支持体３１Ｂは第１支持体３１３Ｂ（図３中左側）と第２支持体３１４Ｂ（図３中右側）とに分割されており、角質剥離粘着剤層３２Ｂは第１粘着剤層３２３Ｂ（図３中左側）と第２粘着剤層３２４Ｂ（図３中右側）とに分割されている。
【００７７】
図３（ｂ）に示すように、角質剥離シート付電極パッド１Ｂは平面視略矩形となっており、電極パッド２の導電性ゲル部２３は平面視略円形になっている。角質剥離シート３Ｂの切れ込み３４Ｂは、上記導電性ゲル部２３の接線となるように、かつ角質剥離シート付電極パッド１Ｂの一辺と平行となるように設けられている。
【００７８】
上記角質剥離シート３Ｂの切れ込み３４Ｂにより、第１支持体３１３Ｂは、電極パッド２の皮膚固定面における粘着剤層２２のみに接触し、第２支持体３１４Ｂは、電極パッド２の皮膚固定面における導電性ゲル部２３および粘着剤層２２に接触している。
【００７９】
また、第１支持体３１３Ｂは、電極パッド２から突出している突出部３１１Ｂを有し、第２支持体３１４Ｂは、電極パッド２から突出している突出部３１２Ｂを有する。なお、本実施形態における第１支持体３１３Ｂの突出部３１１Ｂおよび第２支持体３１４Ｂの突出部３１２Ｂは、電極パッド２の端縁と平行な端縁を有する略長方形状となっているが、これに限定されるものではない。
【００８０】
角質剥離シート付電極パッド１Ｂを使用するには、最初に、角質剥離シート３Ｂの第１支持体３１３Ｂの突出部３１１Ｂを摘んで、第１支持体３１３Ｂを電極パッド２の粘着剤層２２から剥離し、続いて第１支持体３１３Ｂから第１粘着剤層３２３Ｂを介して剥離材３Ｂを第２粘着剤層３２４Ｂから剥離する。すなわち、第１支持体３１３Ｂ、第１粘着剤層３２３Ｂおよび剥離材３Ｂを角質剥離シート付電極パッド１Ｂから剥離する。
【００８１】
そして、露出した電極パッド２の粘着剤層２２を皮膚に対して貼付し、その貼付状態を維持したまま、露出した角質剥離シート３Ｂの第２粘着剤層３２４Ｂを皮膚に対して貼付・剥離することにより、角質層を剥離する。次に、角質剥離シート３Ｂの第２支持体３１４Ｂの突出部３１２Ｂを摘んで、第２支持体３１４Ｂ（および第２粘着剤層３２４）を電極パッド２から剥離し、露出した電極パッド２の残りの粘着剤層２２を皮膚に貼付して、角質層が剥離された皮膚表面に電極パッド２を固定する。
【００８２】
角質剥離シート付電極パッド１Ｂを使用した上記の方法によれば、皮膚に対する電極パッド２の位置をあらかじめ確定することができ、角質剥離シート３Ｂによって角質層を剥離した部分に確実に電極パッド２の導電性ゲル部２３を接触させることができる。
【００８３】
〔第４の実施形態〕
図４は、本発明の第４の実施形態に係る角質剥離シート付電極パッド１Ｃの断面図（ａ）および平面図（ｂ）である。
【００８４】
本実施形態に係る角質剥離シート付電極パッド１Ｃの電極パッド２は、上記第１の実施形態に係る角質剥離シート付電極パッド１の電極パッド２と同様の構成を有する。
【００８５】
一方、角質剥離シート３Ｃは、図４（ａ）に示すように、電極パッド２の皮膚固定面における導電性ゲル部２３および粘着剤層２２に接触して設けられた支持体３１Ｃと、支持体３１Ｃの下側に積層された角質剥離粘着剤層３２Ｃと、電極パッド２の皮膚固定面における粘着剤層２２および角質剥離粘着剤層３２Ｃの下側に積層された剥離材３３Ｃとを備えている。
【００８６】
剥離材３３Ｃにおける電極パッド２に接触する第１領域３３３Ｃと角質剥離粘着剤層３２Ｃに接触する第２領域３３４Ｃの境界部３３２Ｃ（および支持体３１Ｃおよび角質剥離粘着剤層３２Ｃの一端縁）は、図４（ｂ）に示すように、電極パッド２の導電性ゲル部２３の接線となるように、かつ角質剥離シート付電極パッド１Ｃの一辺と平行となるように設けられている。すなわち、剥離材３３Ｃの第１領域３３３Ｃは、電極パッド２の皮膚固定面における粘着剤層２２のみに接触し、剥離材３３Ｃの第２領域３３４Ｃは、電極パッド２の皮膚固定面における導電性ゲル部２３および粘着剤層２２に接触している。
【００８７】
また、角質剥離シート３Ｃの支持体３１Ｃは、電極パッド２から突出している突出部３１１Ｃを有し、剥離材３３Ｃの第１領域３３３Ｃは、電極パッド２から突出している突出部３３１Ｃを有する。なお、本実施形態における支持体３１Ｃの突出部３１１Ｃおよび剥離材３３Ｃの突出部３３１Ｃは、電極パッド２の端縁と平行な端縁を有する略長方形状となっているが、これに限定されるものではない。
【００８８】
角質剥離シート付電極パッド１Ｃを使用するには、最初に、角質剥離シート３Ｃの剥離材３３Ｃの突出部３３１Ｃを摘んで、剥離材３３Ｃの第１領域３３３Ｃを電極パッド２の粘着剤層２２から剥離し、続いて剥離材３３Ｃの第２領域３３４Ｃを角質剥離粘着剤層３２Ｃから剥離する。
【００８９】
そして、露出した電極パッド２の粘着剤層２２を皮膚に対して貼付し、その貼付状態を維持したまま、露出した角質剥離シート３Ｃの角質剥離粘着剤層３２Ｃを皮膚に対して貼付・剥離することにより、角質層を剥離する。次に、角質剥離シート３Ｃの支持体３１Ｃの突出部３１１Ｃを摘んで、支持体３１Ｃ（および角質剥離粘着剤層３２）を電極パッド２から剥離し、露出した電極パッド２の残りの粘着剤層２２を皮膚に貼付して、角質層が剥離された皮膚表面に電極パッド２を固定する。
【００９０】
角質剥離シート付電極パッド１Ｃを使用した上記の方法によれば、皮膚に対する電極パッド２の位置をあらかじめ確定することができ、角質剥離シート３Ｃによって角質層を剥離した部分に確実に電極パッド２の導電性ゲル部２３を接触させることができる。
【００９１】
〔その他の実施形態〕
以上説明した実施形態は、本発明の理解を容易にするために記載されたものであって、本発明を限定するために記載されたものではない。したがって、上記実施形態に開示された各要素は、本発明の技術的範囲に属する全ての設計変更や均等物をも含む趣旨である。
【００９２】
例えば、上記電極パッド２の粘着剤層２２および導電性ゲル部２３は、一体的に導電性粘着ゲル部となっていてもよい。また、上記電極パッド２は導電型のものであるが、静電容量型のものであってもよい。
【実施例】
【００９３】
以下、実施例等により本発明をさらに具体的に説明するが、本発明の範囲はこれらの実施例等に限定されるものではない。
【００９４】
〔実施例１〕
電極パッドとして、厚さ１０００μｍのウレタン発泡シート上に、厚さ６０μｍのアクリル系粘着剤層を有する粘着シート（幅５ｃｍ×長さ５ｃｍの角Ｒ付き四角形状）の中心部に、接続端子と導電性ゲル部とを備えたものを用意した。一方、角質剥離シートを以下のようにして作製した。
【００９５】
架橋可能な官能基（カルボキシル基）を有するアクリル系ポリマー（アクリル酸２−エチルヘキシル／アクリル酸共重合体：８２／１８モル％，数平均分子量：約８５０，０００，固形分：５０質量％）２８．６質量部と、架橋可能な官能基を有しないアクリル系ポリマー（アクリル酸２−エチルヘキシル／Ｎ−ビニル−２−ピロリドン共重合体：８８／１２モル％，数平均分子量：約８５０，０００，固形分：４５質量％）４４．４質量部と、ラクタム環を有するアクリル系オリゴマー（アクリル酸２−エチルヘキシル／Ｎ−ビニル−２−ピロリドン共重合体：８０／２０モル％，数平均分子量：約６０００，固形分：８０質量％）３７．５質量部と、液状成分としての濃グリセリン（鹿島ケミカル社製，分子量９２．１，ｐＨ７．４，蒸気圧０．１Ｐａ未満（２０℃））３．２質量部との混合物に対し、イソシアネート系架橋剤（日本ポリウレタン工業社製，コロネートＨＬ）０．２質量部を添加混合した。
【００９６】
得られた粘着剤組成物の溶液を、剥離材であるシリコーン系剥離剤で剥離処理された剥離紙の剥離処理面上に、乾燥後の塗布量が５０ｇ／ｍ２（厚さ４０μｍ）となるようにアプリケーターによって塗布し、１００℃で３分間乾燥させて角質剥離粘着剤層を形成した後、この角質剥離粘着剤層と、支持体である片面がシリコーン系剥離剤で剥離処理された厚さ５０μｍのポリエチレンテレフタレートフィルムの剥離処理面の反対面とを貼合して、角質剥離シートを作成した。
【００９７】
上記のようにして得られた角質剥離シートの支持体と電極パッドの皮膚固定面とを接触させて、角質剥離シートと電極パッドとを積層し、これを角質剥離シート付電極パッドとした。
【００９８】
〔実施例２〕
濃グリセリンの配合量を１０．６質量部に変更する以外、実施例１と同様にして粘着剤組成物を調製し、当該粘着剤組成物を使用して実施例１と同様にして角質剥離シート付電極パッドを作製した。
【００９９】
〔実施例３〕
濃グリセリンの配合量を２５．８質量部に変更する以外、実施例１と同様にして粘着剤組成物を調製し、当該粘着剤組成物を使用して実施例１と同様にして角質剥離シート付電極パッドを作製した。
【０１００】
〔実施例４〕
ラクタム環を有するアクリル系オリゴマーとして、アクリル酸２−エチルヘキシルとＮ−ビニル−２−ピロリドン共重合体とのモル比が８８：１２のアクリル系オリゴマー（数平均分子量：約６０００，固形分：９８質量％）を使用する以外、実施例３と同様にして粘着剤組成物を調製し、当該粘着剤組成物を使用して実施例１と同様にして角質剥離シート付電極パッドを作製した。
【０１０１】
〔実施例５〕
濃グリセリンを添加しない以外、実施例４と同様にして粘着剤組成物を調製し、当該粘着剤組成物を使用して実施例１と同様にして角質剥離シート付電極パッドを作製した。
【０１０２】
〔実施例６〕
濃グリセリンを添加しない以外、実施例１と同様にして粘着剤組成物を調製し、当該粘着剤組成物を使用して実施例１と同様にして角質剥離シート付電極パッドを作製した。
【０１０３】
〔試験例１〕（皮膚コンダクタンス／角質膜残存率測定）
測定部位である人の下腕内側を水で濡らしたタオルで軽く拭き、２０分放置した。そして、高感度角質膜厚・水分計（アサヒバイオメッド社製，高感度角質膜厚・水分計ＡＳＡ−ＭＸ）を使用して、未処理時における測定部位の角質膜の厚さを測定した（測定人数５名，両腕，ｎ＝１０，結果はその平均値）。
【０１０４】
上記測定部位を水で濡らしたタオルで軽く拭き、２０分放置した。次いで、実施例で得られた角質剥離シート付電極パッドの角質剥離粘着剤層を測定部位に５分間貼付した後、人の手によって約２０００ｍｍ／ｍｉｎの速度で角質剥離シート付電極パッドを剥離した。その後、測定部位を水で濡らしたタオルで軽く拭き、２０分放置した。そして、上記高感度角質膜厚・水分計を使用して、測定部位の皮膚コンダクタンスおよび角質膜の厚さを測定した（測定人数５名，両腕，ｎ＝１０，結果はその平均値）。その測定結果から、未処理時における角質膜の厚さを基準（１００）とする角質膜の残存率（％）を算出した。結果を表１に示す。なお、本試験例における皮膚コンダクタンスは、低周波交流を印加した時の値を示す。
【０１０５】
また、上記測定部位を水で濡らしたタオルで軽く拭き、２０分放置した後、スリーエム社製生体医療用電極（ＲｅｄＤｏｔＴＭ）を用いて、皮膚表面を５回（比較例１）、１０回（比較例２）、２０回（比較例３）研磨した。その後、上記と同様にして測定部位の皮膚コンダクタンスおよび角質膜の厚さを測定した（測定人数５名，両腕，ｎ＝１０，結果はその平均値）。その測定結果から、未処理時における角質膜の厚さを基準（１００）とする角質膜の残存率（％）を算出した。結果を表１に示す。
【０１０６】
なお、本試験例では、皮膚インピーダンスの代わりに皮膚コンダクタンスを測定したが、皮膚コンダクタンスは電気抵抗の逆数であり、皮膚インピーダンスと同様に皮膚における電気的障害の程度を表すことができる。皮膚コンダクタンスは、その数値が高い程、電気抵抗が小さく、電気的障害の程度が少ないことを示す。
【０１０７】
【表１】
2009082322.tif 000003
【０１０８】
表１より、実施例で得られた角質剥離シート付電極パッドによれば、角質層を効果的に剥離することができ、また皮膚コンダクタンスが高く（電気抵抗が低く）、電気的信号の正確な送受信が可能であることが分る。
【産業上の利用可能性】
【０１０９】
本発明の角質剥離シート付電極パッドは、例えば心電図用の電極パッド、特に使い捨てタイプの電極パッドとして好適に使用することができる。
【図面の簡単な説明】
【０１１０】
【図１】本発明の第１の実施形態に係る角質剥離シート付電極パッドの断面図である。
【図２】本発明の第２の実施形態に係る角質剥離シート付電極パッドの断面図（ａ）および平面図（ｂ）である。
【図３】本発明の第３の実施形態に係る角質剥離シート付電極パッドの断面図（ａ）および平面図（ｂ）である。
【図４】本発明の第４の実施形態に係る角質剥離シート付電極パッドの断面図（ａ）および平面図（ｂ）である。
【符号の説明】
【０１１１】
１，１Ａ，１Ｂ，１Ｃ…角質剥離シート付電極パッド
２…電極パッド
２１…基材シート
２２…粘着剤層
２３…導電性ゲル部
２４…接続端子
３，３Ａ，３Ｂ，３Ｃ…角質剥離シート
３１，３１Ａ，３１Ｂ，３１Ｃ…支持体
３２，３２Ａ，３２Ｂ，３２Ｃ…角質剥離粘着剤層
３３，３３Ａ，３３Ｂ，３３Ｃ…剥離材
３１１Ａ，３３１Ａ，３１１Ｂ，３１２Ｂ，３１１Ｃ，３３１Ｃ…突出部
３４Ｂ…切れ込み
【図１】
2009082322.tif 000004
【図２】
2009082322.tif 000005
【図３】
2009082322.tif 000006
【図４】
2009082322.tif 000007